(57)【要約】【課題】電源から電源コードが引き抜かれたり、装置本体から電源コードを引き抜かれたりしても、発光物質による短絡を抑制することができる画像投写装置を提供する。【解決手段】メイン制御部１０１が、第一引き抜きセンサ１１１の検知結果や第二引き抜きセンサ１１２の検知結果に基づいて、引き抜き動作を検知したら、光源３０に供給する電力を増加させたり、光源に出力する出力波形を変更したり、発光部を冷却する光源ファン７１の回転数を上げたりする水銀ブリッジ抑制処理を実行する。【選択図】図７
2017211591.tif 000002
【特許請求の範囲】
【請求項１】
発光物質が封入され、一対の電極が対向配置された発光部を有する光源と、
装置本体に対して引き抜き可能に設けられ、電源の電力を装置本体内の電気部品に供給する電源コードとを備え、
前記光源からの光を用いて画像を投写する画像投写装置において、
操作者の前記電源コードの前記電源からの引き抜き動作と当該装置本体からの引き抜き動作とを検知する引き抜き検知手段を備え、
前記引き抜き検知手段により引き抜き動作を検知したときは、前記電極と前記発光部の内壁との温度差が、前記引き抜き検知手段が引き抜き動作を検知する前よりも広がるように、前記電極の温度を変化させうる制御対象および前記発光部の温度を変化させうる制御対象の少なくとも一方を制御する制御部を備えたことを特徴とする画像投写装置。
【請求項２】
請求項１に記載の画像投写装置において、
前記制御部は、前記引き抜き検知手段により引き抜き動作を検知したとき、前記光源に供給する電力を増加させることを特徴とする画像投写装置。
【請求項３】
請求項１または２に記載の画像投写装置において、
前記制御部は、前記引き抜き検知手段により引き抜き動作を検知したとき、前記光源を点灯させるために前記光源に出力する電気的な出力波形を変更することを特徴とする画像投写装置。
【請求項４】
請求項３に記載の画像投写装置において、
前記光源は、開口を有し、前記発光部から放射された光を前記開口に向けて反射するリフレクタを備え、
前記制御部は、前記引き抜き検知手段により引き抜き動作を検知したとき、前記出力波形を、一対の電極のうち前記リフレクタの開口側に配置された開口側の電極が、他の電極よりも加熱されるような出力波形に変更することを特徴とする画像投写装置。
【請求項５】
請求項４に記載の画像投写装置において、
前記制御部は、前記引き抜き検知手段により引き抜き動作を検知したとき、前記開口側の電極が陽極となっている時間が、他方の電極が陽極となっている時間よりも長くなるように、出力波形を変更することを特徴とする画像投写装置。
【請求項６】
請求項１乃至５いずれかに記載の画像投写装置において、
前記発光部を冷却する発光部冷却手段を備えたことを特徴とする画像投写装置。
【請求項７】
請求項６に記載の画像投写装置において、
前記制御部は、前記引き抜き検知手段により引き抜き動作を検知したとき、前記発光部冷却手段の冷却能力を高めることを特徴とする画像投写装置。
【請求項８】
請求項１乃至７いずれかに記載の画像投写装置において、
前記引き抜き検知手段は、操作者の電源に差し込まれている電源コードの電源プラグを掴もうとする動作、当該装置に差し込まれている電源コードの出力プラグを掴もうとする動作を検知することを特徴とする画像投写装置。
【請求項９】
請求項１乃至８いずれかに記載の画像投写装置において、
前記発光物質は、水銀を含むことを特徴とする画像投写装置。
【発明の詳細な説明】
【技術分野】
【０００１】
本発明は画像投写装置に関するものである。
【背景技術】
【０００２】
光源からの光を用いて生成した投写画像を投写面に投写する画像投写装置において、光源として高圧水銀ランプを用いたものが知られている。高圧水銀ランプは、発光物質たる水銀が高圧で封入され、一対の電極が対向配置された発光部を備えた放電管を備えている。
【０００３】
特許文献１には、上記画像投写装置であって、画像投写装置の電源ボタン操作などにより画像投写装置が電力停止操作を受けたとき、高圧水銀ランプに供給する電力を増加させる制御を行った後、高圧水銀ランプへの電力供給を停止するものが記載されている。高圧水源ランプに供給する電力を増加させることで、一対の電極の温度が上昇し、発光部の内壁と電極との温度差を広げることができ、消灯後に一対の電極が、発光部の内壁よりも先に水銀の沸点温度以下に低下するのを抑制することができる。よって、点灯時発光部内で気化している水銀は、消灯後、主に発光部の内壁で液化して内壁に付着し、一対の電極に付着するのを抑制することができる。その結果、電極に水銀が付着し、水銀により電極間が繋がれる水銀ブリッジが発生するのを抑制できると記載されている。
【発明の概要】
【発明が解決しようとする課題】
【０００４】
しかしながら、上記特許文献１に記載の画像投写装置においては、画像投写装置の電源コードが電源（コンセント）から抜かれたり、画像投写装置から抜かれたりした場合は、高圧水源ランプに供給する電力を増加させる制御が行われずに、高圧水源ランプが消灯してしまい、水銀ブリッジが発生するおそれがあるという課題があった。
【０００５】
なお、上記課題は、高圧水銀ランプに限られず、一対の電極間の放電により発光部に封入された発光物質が発光するものであって、消灯後に発光物質が電極に付着して短絡が起こり得る光源を用いた場合は、同様な課題が発生する。
【課題を解決するための手段】
【０００６】
上記課題を解決するために、本発明は、発光物質が封入され、一対の電極が対向配置された発光部を有する光源と、装置本体に対して引き抜き可能に設けられ、電源の電力を装置本体内の電気部品に供給する電源コードとを備え、前記光源からの光を用いて画像を投写する画像投写装置において、操作者の前記電源コードの前記電源からの引き抜き動作と当該装置本体からの引き抜き動作とを検知する引き抜き検知手段を備え、前記引き抜き検知手段により引き抜き動作を検知したときは、前記電極と前記発光部の内壁との温度差が、前記引き抜き検知手段が引き抜き動作を検知する前よりも広がるように、前記電極の温度を変化させうる制御対象および前記発光部の温度を変化させうる制御対象の少なくとも一方を制御する制御部を備えたことを特徴とするものである。
【発明の効果】
【０００７】
本発明によれば、電源から電源コードが引き抜かれたり、装置本体から電源コードを引き抜かれたりしても、発光物質による短絡を抑制することができる。
【図面の簡単な説明】
【０００８】
【図１】実施形態におけるプロジェクタを例示する斜視図。
【図２】実施形態における光学エンジンを例示する斜視図。
【図３】光源と、照明光学系ユニットと、画像表示ユニットと、投写レンズとを例示する斜視図。
【図４】実施形態における投写光学系ユニットの内部構成を例示する図。
【図５】実施形態における光源を例示する概略断面図。
【図６】実施形態におけるプロジェクタの断面斜視図。
【図７】実施形態におけるプロジェクタの制御ブロック図。
【図８】光源を点灯駆動するときに光源へ出力する出力波形の一例を示す図。
【図９】光源消灯制御のフローチャート。
【図１０】水銀ブリッジ抑制処理を実行したときの光源に出力する出力波形の一例を示す図。
【図１１】水銀ブリッジ抑制処理を実行したときの光源に出力する出力波形の他の例を示す図。
【図１２】本実施形態の電源コードの一例を示す図。
【図１３】第一引き抜きセンサによる引き抜き動作の検知について説明する図。
【図１４】プロジェクタの排気口側の側面を示す図。
【図１５】第二引き抜きセンサによる引き抜き動作の検知について説明する図。
【図１６】実施形態とは別のプロジェクタを示す斜視図。
【発明を実施するための形態】
【０００９】
以下、図面を参照して発明を実施するための形態について説明する。各図面において、同一構成部分には同一符号を付し、重複した説明を省略する場合がある。
【００１０】
［画像投写装置の構成］
図１は、実施形態におけるプロジェクタ１を例示する斜視図である。
【００１１】
プロジェクタ１は、画像投写装置の一例であり、出射窓３、外部Ｉ／Ｆ９を有し、投写画像を生成する光学エンジンが内部に設けられている。プロジェクタ１は、例えば外部Ｉ／Ｆ９に接続されるパソコンやデジタルカメラからの入力画像データが送信されると、光学エンジンが送信された画像データに基づいて投写画像を生成し、図１に示されるように出射窓３からスクリーンＳに画像を投写する。また、出射窓３を有するプロジェクタ１の上壁面には、ユーザーが操作するための操作部１２０が設けられている。操作部１２０は、ユーザーの操作によりプロジェクタの電源をＯＮ／ＯＦＦする電源ボタン１２０ａを有している。
【００１２】
なお、以下に示す図面において、Ｘ１Ｘ２方向はプロジェクタ１の幅方向、Ｙ１Ｙ２方向はプロジェクタ１の奥行き方向、Ｚ１Ｚ２方向はプロジェクタ１の高さ方向である。また、以下では、プロジェクタ１の出射窓３側を上、出射窓３とは反対側を下として説明する場合がある。
【００１３】
［光学エンジンの構成］
次に、プロジェクタ１の光学エンジン１５の各部の構成について説明する。
【００１４】
図２は、実施形態における光学エンジン１５を例示する斜視図である。光学エンジン１５は、図２に示されるように、光源３０、照明光学系ユニット４０、画像表示ユニット５０、投写光学系ユニット６０を有し、プロジェクタ１の内部に設けられている。
【００１５】
光源３０は、照明光学系ユニット４０の側面に設けられ、Ｘ２方向に光を照射する。光源３０は、光源ホルダ６４と光源ブラケット６２とにより保持されている。照明光学系ユニット４０は、光源３０から照射された光を、下部に設けられている画像表示ユニット５０に導く。画像表示ユニット５０は、照明光学系ユニット４０によって導かれた光を用いて投写画像を生成する。投写光学系ユニット６０は、照明光学系ユニット４０の上部に設けられ、画像表示ユニット５０によって生成された投写画像をプロジェクタ１の外部に投写する。
【００１６】
なお、本実施形態に係る光学エンジン１５は、光源３０から照射される光を用いて上方に画像を投写するように構成されているが、水平方向に画像を投写するような構成であってもよい。
【００１７】
［照明光学系ユニット］
図３は、光源３０と、照明光学系ユニット４０と、画像表示ユニット５０と、投写レンズ６０１とを例示する斜視図である。
【００１８】
図３に示されるように、照明光学系ユニット４０は、カラーホイール４０１、ライトトンネル４０２、リレーレンズ４０３，４０４、シリンダミラー４０５、曲面ミラー４０６を有する。
【００１９】
カラーホイール４０１は、例えば周方向の異なる部分にシアン、白、赤、黄、緑、青の各色のフィルタが設けられている円盤である。カラーホイール４０１は、高速回転することで、光源３０から照射される光を、各色に時分割する。
【００２０】
ライトトンネル４０２は、例えば板ガラス等の貼り合わせによって四角筒状に形成されている。ライトトンネル４０２は、カラーホイール４０１を透過した各色の光を、内面で多重反射することで輝度分布を均一化してリレーレンズ４０３，４０４に導く。
【００２１】
リレーレンズ４０３，４０４は、ライトトンネル４０２から出射された光の軸上色収差を補正しつつ集光する。
【００２２】
シリンダミラー４０５及び曲面ミラー４０６は、リレーレンズ４０３，４０４から出射された光を、画像表示ユニット５０に設けられている光変調素子５０２に反射する。光変調素子５０２は、曲面ミラー４０６からの反射光を変調して投写画像を生成する。
【００２３】
ライトトンネル４０２、リレーレンズ４０３，４０４、シリンダミラー４０５及び曲面ミラー４０６は、照明ブラケット４０７に保持されている。また、この照明ブラケット４０７には、画像表示ユニット５０および、レンズホルダ６０４を介して投写レンズ６０１が取り付けられている。
【００２４】
［投写光学系ユニット］
図４は、実施形態における投写光学系ユニット６０の内部構成を例示する図である。
【００２５】
図４に示されるように、投写光学系ユニット６０は、投写レンズ６０１、折り返しミラー６０２、曲面ミラー６０３がケースの内部に設けられている。
【００２６】
投写レンズ６０１は、複数のレンズを有し、画像表示ユニット５０の光変調素子５０２によって生成された投写画像を、折り返しミラー６０２に結像させる。折り返しミラー６０２及び曲面ミラー６０３は、結像された投写画像を拡大するように反射して、プロジェクタ１の外部のスクリーンＳ等に投写する。
【００２７】
図５は、実施形態における光源３０を例示する概略断面図である。
本実施形態では、光源３０として高圧水銀ランプを用いている。光源３０としての高圧水銀ランプは、内部に発光物質としての水銀を高圧で封入した球状の発光部３１ａを備えた放電管３１を備えている。放電管内には、図中左右方向に延びる第一電極３２と第二電極３３とが配置されている。放電管中央部に設けられた発光部３１ａ内で、第一電極３２の一端が、第二電極３３の一端と対向するように配置されており、各電極３２、３３の他端は、導電線３５を介して後述する光源制御部１０３（図７参照）に接続されている。また、光源３０は、開口部３４ａを有し、発光部３１ａを囲むように設けた略円錐形状のリフレクタ３４を有している。発光部３１ａから発光した光は、リフレクタ３４によりリフレクタ３４の開口部３４ａに向けて反射される。
【００２８】
一対の電極間に高い電界が形成されると、発光部３１ａ内でアーク放電が形成され、発光部３１ａ内が温度上昇し、発光部３１ａに高圧で封入されている水銀が蒸発する。第一電極３２または第二電極３３から放出された電子がこの蒸発した水銀に衝突する。アーク放電と、電子と水銀の衝突との相互作用により輝線スペクトル、連続スペクトルが発生し発光する。発光部３１ａで発生した光は、リフレクタ３４により開口部３４ａに向けて反射され、開口部３４ａ側で一点に集光される。
【００２９】
次に、光源３０の冷却について説明する。
図６は、実施形態におけるプロジェクタ１の断面斜視図である。
図６に示すように、放電管３１の発光部３１ａへ冷却用の空気（冷却風）を送って、放電管３１を空冷する冷却手段としての光源ファン７１が設けられている。
【００３０】
光源ファン７１により発生した冷却風は、光源３０を収納する光源ハウジング７０に設けられたダクト７０ｃを通じて、リフレクタ３４により囲まれた空間へ送り込まれ、放電管３１の発光部３１ａを冷却する。発光部３１ａを冷却した空気は、光源ホルダ６４に設けられた排気口６４ｃから排気される。
【００３１】
光源ファン７１は、遠心式の送風機であるシロッコファンであるが、軸流式の送風機を採用してもよい。ただし、本実施形態においては、ダクト７０ｃを介して光源３０のリフレクタ内へ冷却風を送り込むため、光源ファン７１としてシロッコファンを採用するのが好ましい。これは、シロッコファンを採用することにより、ダクト７０ｃ内での抵抗があっても発光部３１ａへ強い冷却風を送り込むことが可能となるためである。
【００３２】
図７は、実施形態におけるプロジェクタ１の制御ブロック図である。
図７に示すように、電源コード１０５から電力が供給される電源部１０４を有している。電源部１０４は、電源コード１０５から供給された交流電圧を直流電圧に変換するなどして、メイン制御部１０１などに所定の電圧を供給する。また、光源３０に電力を供給して光源を点灯させる光源制御部１０３を備えている。本実施形態においては、交流駆動により光源を点灯している。具体的には、電圧を印加する電極を交互に切り替え、図８に示すように、電極間に流れる電流波形を矩形状の交流波形としている。図８においては、第一電極３２から第二電極３３への電流の流れをマイナス、第二電極３３から第一電極３２への電流の流れをプラスとしている。
【００３３】
メイン制御部１０１は、演算手段たるＣＰＵ（Ｃｅｎｔｒａｌ  Ｐｒｏｃｅｓｓｉｎｇ  Ｕｎｉｔ）、記憶手段たるＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などを有しており、プロジェクタ全体の制御を司る。メイン制御部１０１には、様々な構成機器が通信可能に電気的に接続されている。メイン制御部１０１は、光源ファン７１や、カラーホイール４０１が接続されており、光源ファン７１やカラーホイールの回転を制御する。また、メイン制御部１０１は、パソコンやビデオカメラ等の外部機器を介して入力された画像データに基づいて変調信号を生成し、光変調素子制御部１０２へ出力する。また、メイン制御部１０１は、カラーホイール４０１による色分離のタイミングと光変調素子５０２による光変調のタイミングとが同期するよう、光変調素子制御部１０２を制御する。光変調素子５０２は、光変調素子制御部１０２により駆動制御される。
【００３４】
また、メイン制御部１０１には、操作部１２０の電源ボタン１２０ａからの操作信号が入力される。プロジェクタ１の電源がＯＦＦのときは、電源ボタン１２０ａからの操作信号を受信すると、光源制御部１０３に電力供給開始信号を送信する。光源制御部１０３は、メイン制御部から電力供給開始信号を受信したら、先の図８に示した交流波形を一対の電極に出力して光源３０を点灯させる。また、プロジェクタ１の電源がＯＮのときは、電源ボタン１２０ａからの操作信号に基づいて、光源制御部１０３に電力供給停止信号を送信する。光源制御部１０３は、メイン制御部１０１から電力供給停止信号を受信したら、光源３０への電力供給を停止し、光源３０を消灯する。
【００３５】
また、メイン制御部１０１には、電源コード１０５が電源（コンセント）からの引き抜く際の引き抜き動作を検知するための後述する第一引き抜きセンサ１１１と、電源コード１０５がプロジェクタ１から引き抜く際の引き抜き動作を検知するための後述する第二引き抜きセンサ１１２とが接続されている。
メイン制御部１０１は、後述するように、これら引き抜きセンサ１１１,１１２が引き抜き動作を検出したら、後述する水銀ブリッジ抑制処理を実行する。
【００３６】
光源３０が消灯すると、発光部３１ａ内の温度が低下し、発光部内の水銀が気体から液体へと戻る。具体的に、気化した水銀は、水銀の沸点以下に低下した部材に接触することで、沸点以下に冷やされ、液化し、その部材に付着する。通常、消灯時は、発光部３１ａの内壁の方が、第一電極３２や第二電極３３よりも低温であるが、電極は、ガラスからなる発光部３１aよりも熱伝導性の高い金属からなるため、熱を逃がしやすい。従って、環境などによっては、電極の方が発光部３１ａの内壁よりも早く水銀の沸点以下に低下し、電極に水銀が付着する場合がある。水銀が電極に付着すると、付着した液体の水銀により、第一電極３２と第二電極３３とが電気的に接続され、電極間をショートさせる水銀ブリッジが発生するおそれがある。
【００３７】
このため、本実施形態では、光源３０を消灯する前に、電極の温度が発光部３１ａの内壁の温度よりも高く、電極と発光部の内壁との温度差を広げる水銀ブリッジ抑制処理を実行してから光源を消灯するようにしている。
【００３８】
図９は、光源消灯制御のフローチャートである。
電源ボタン１２０ａ（図１参照）が、ユーザーにより押される（Ｓ１）と、メイン制御部１０１にボタン操作信号が送信される。メイン制御部１０１は、ボタン操作信号を受信したら、光変調素子制御部１０２を制御して、スクリーンＳに電源オフ確認画面を表示させる（Ｓ２）。また、メイン制御部１０１は、ボタン操作信号を受信したら、水銀ブリッジ抑制処理を実行する。
【００３９】
水銀ブリッジ抑制処理の一例としては、光源３０に供給する電力を増加させて、第一電極３２、第二電極３３を温度上昇させる。具体的には、メイン制御部１０１は、電極の温度を変化させうる制御対象である光源制御部１０３に光源３０に供給する電力を増加させるように制御する。これにより、光源３０に供給される電力が増加し、第一電極３２、第二電極３３の温度を上昇させることができ、発光部３１ａの内壁と、電極との温度差を広げることができる。これにより、消灯後、電極が発光部の内壁よりも早く水銀の沸点温度に低下するのを抑制することができる。これにより、水銀は、主に発光部の内壁で液化し、発光部の内壁に付着し、一対の電極に付着するのを抑制することができる。その結果、水銀ブリッジが発生するのを抑制することができる。
【００４０】
また、水銀ブリッジ抑制処理として、発光部３１ａの温度を変化させうる制御対象である光源ファン７１の回転数を上げて、発光部３１ａを冷却する冷却能力を高めるようにしてもよい。これにより、発光部３１ａの温度を低下させることができ、発光部の内壁と、電極との温度差を広げることができる。従って、上述と同様に、水銀ブリッジの発生を抑制することができる。
【００４１】
また、光源ファン７１の回転数を上げて、発光部３１ａを冷却する冷却能力を高め、かつ、光源３０に供給される電力を増加させることで、発光部の内壁と、電極との温度差をより一層広げることができ、好ましい。
【００４２】
リフレクタの開口部３４ａ側に配置される第二電極３３は、第一電極３２よりも温度が低下しやすい。これは、第一電極３２は、リフレクタ３４の底部側に配置されており、リフレクタ３４の底部側は、発光部３１ａから放熱された熱が篭りやすい。よって、第一電極３２からの放熱が抑えられ、第一電極３２の温度低下が抑えられる。一方、リフレクタ開口部側は、熱が逃げやすいため、開口部側の第二電極３３の周囲は、第一電極３２の周囲よりも低温になっている。そのため、第二電極３３が第一電極３２よりも放熱して、第一電極３２よりも温度低下が早い。その結果、第二電極３３が、発光部３１ａの内壁よりも速く水銀の沸点温度以下に低下するおそれが、第一電極３２よりも高く、第二電極３３に水銀が付着するおそれが第一電極３２よりも高い。
【００４３】
一対の電極のうち、電子が収集される（電流を流す）陽極の方が、電子を放出する（電流が流れ込む）陰極に比べて温度が高くなる。これは、陽極においては、電子が衝突するため、この電子の衝突により加熱されるからである。よって、水銀ブリッジ抑制処理として、光源３０に出力する出力波形を、第二電極３３が陽極となる時間が、陰極となる時間より長くなるような出力波形に変更して、第二電極３３が第一電極３２よりも温度が高くなるようにしてもよい。
【００４４】
図１０は、水銀ブリッジ抑制処理を実行したときの光源に出力する出力波形の一例を示す図である。
この図１０においても、第一電極３２から第二電極３３への電流の流れをマイナス、第二電極３３から第一電極３２への電流の流れをプラスとしている。
水銀ブリッジ抑制処理を実行が開始されたら、図１０に示すように、第二電極３３が陽極となる時間（電流が第二電極から第一電極へ流れる時間）が長くなるように、光源に出力する出力波形を変更する。図１０は、電流の波形であるが、電圧の波形で言えば、第二電極に正の電圧が印加される時間を長くするのである。これにより、第二電極３３が、第一電極３２よりも加熱され、第一電極３２よりも温度を高くすることができる。
【００４５】
図１１は、水銀ブリッジ抑制処理を実行したときの光源に出力する出力波形の他の例を示す図である。
図１１に示すように、水銀ブリッジ抑制処理により変更される出力波形を、直流波形とし、第二電極３３を常に陽極となるようにしてもよい。このようにしても、第二電極３３が第一電極３２よりも加熱され、第二電極３３の温度を第一電極３２よりも高くすることができる。
【００４６】
水銀ブリッジ抑制処理で、図１０や図１１に示した出力波形に変更することにより、第二電極３３と、発光部３１ａの内壁との温度差を広げることができる。これにより、光源消灯後、発光部３１ａの内壁が水銀の沸点温度以下に低下する前に、第二電極３３が水銀の沸点温度以下に低下するのを抑制することができ、第二電極３３に水銀が付着するのを抑制することができる。
【００４７】
また、メイン制御部１０１は、電源ボタン１２０ａからボタン操作信号を受信したら、カウントを開始し、所定の時間（例えば、１０秒）内に再度、電源ボタン１２０ａが押されボタン操作信号を受信したか否かをチェックする（Ｓ４）。スクリーンＳに表示される電源オフ確認画面には、ＯＫの場合は、もう一度電源ボタン１２０ａを押すことを指示する旨も表示されている。ユーザーが電源オフ確認画面の指示に基づいて、所定の時間内に再度、電源ボタンが押され（Ｓ４のＹＥＳ）、メイン制御部１０１が再度、ボタン操作信号を受信したら、電源ＯＦＦ制御が実行される（Ｓ５）。具体的には、カラーホイール４０１や光源ファン７１、光変調素子５０２などの駆動も停止する。また、光源制御部１０３に、電極供給停止信号を送信する。光源制御部１０３は、電力供給停止信号を受信したら、光源３０への電力供給を停止し、光源３０が消灯する。
【００４８】
光源が消灯したときは、上述した水銀ブリッジ抑制処理によって、発光部の内壁と、電極との温度差が広がっている。これにより、消灯後、電極の温度低下が発光部の内壁の温度低下よりも早くても、発光部の内壁よりも先に電極の温度が水銀の沸点温度以下に低下するのを抑制することができる。これにより、気化した水銀は、主に発光部３１ａの内壁で液化して発光部３１ａの内壁に付着させることができる。よって、電極に水銀が付着するのを抑制することができ、水銀ブリッジの発生を抑制することができる。
【００４９】
また、２回目のボタン操作信号を受信した後に、一定時間（例えば、１０秒）上述した水銀ブリッジ抑制処理を実行した後、光源３０への電力を停止してもよい。こうすることで、発光部の内壁と電極との温度差を十分広げてから光源を消灯することができ、水銀ブリッジの発生を良好に抑制することができる。また、この場合、２回電源ボタンを押したにも係わらず、光源３０が所定時間点灯し続けたり、光源ファン７１が回転し続けたりするため、ユーザーによっては、装置が故障しているのではと疑問にもつおそれがある。従って、２回目の電源ボタンを押した後、後何秒で電源が切れる等の情報や、終了処理中などをスクリーンＳに表示したり、音声により報知したりするのが好ましい。
【００５０】
一方、一定時間内に電源ボタン１２０ａが押されなかったとき（Ｓ４のＮｏ）は、スクリーンＳに表示される電源オフ確認画面を非表示にし（Ｓ６）、水銀ブリッジ抑制処理を停止する（Ｓ７）。具体的には、光源への出力波形を先の図８に示す出力波形に戻したり、光源ファンの回転数を通常の回転数に戻したりする。
【００５１】
電源ボタン１２０ａを操作して装置の電源をＯＦＦにせずに、プロジェクタ１の電源コード１０５が電源（コンセント）から抜かれたり、プロジェクタ１から抜かれたりする場合がある。この場合、上述した水銀ブリッジ抑制処理が行われず、高圧水源ランプが消灯してしまい、水銀ブリッジが発生するおそれがある。
【００５２】
そのため、本実施形態においては、上述した引き抜きセンサ１１１や第二引き抜きセンサ１１２により、ユーザーが電源コードの引き抜き動作を検知して、引き抜き動作を検知したら、上述した水銀ブリッジ抑制処理を行うようにした。以下に、図面を用いて具体的に説明する。
【００５３】
図１２は、本実施形態の電源コード１０５の一例を示す図である。
図１２に示すように電源コード１０５は、一端に電源（コンセント）に差し込まれる電源プラグ１０５ａが設けられており、他端には、プロジェクタの電源コード差込部１２１（図１３参照）に差し込まれる出力プラグ１０５ｂが設けられている。電源プラグ１０５ａには、第一引き抜きセンサ１１１が設けられており、第一引き抜きセンサ１１１からコードが出力プラグ１０５ｂまで延びている。そして、このコードは、出力プラグ１０５ｂに設けられた第一引き抜きセンサを装置本体のメイン制御部１０１ａに接続する接続端子に接続されている。出力プラグ１０５ｂが装置本体に差し込まれることで、第一引き抜きセンサ１１１がメイン制御部１０１に接続されるようになっている。本実施形態では、第一引き抜きセンサ１１１として、距離センサを用いている。
【００５４】
図１３は、第一引き抜きセンサ１１１による引き抜き動作の検知について説明する図である。
電源（コンセント）Ｃに差し込まれた電源コードの電源プラグ１０５ａを引き抜くために、まず、ユーザーは、電源プラグ１０５ａを掴む。よって、ユーザーは、電源プラグ１０５ａを掴むために指Ｆを電源プラグ１０５ａに近づける。距離センサからなる第一引き抜きセンサ１１１は、指Ｆとの距離を検知して、メイン制御部１０１へ出力する。メイン制御部１０１は、指Ｆとの距離が閾値（例えば、５０ｍｍｍ）以下となったら、ユーザーが電源プラグ１０５ａを掴んで引き抜こうとしていると判断し、上述した水銀ブリッジ抑制処理を行う。具体的には、上述したように、光源に供給する電力を上げたり、光源ファンの回転数を上げたり、出力波形を、先の図１０、図１１に示した出力波形に変更したりするのである。これにより、光源点灯中に、ユーザーが電源プラグ部１０５ａを掴んで、電源プラグ１０５ａを電源から引き抜いて装置への電力供給が停止する前に、電極と発光部の内壁との温度差を広げることができる。これにより、電源プラグ１０５ａを電源から引き抜かれて光源が消灯したときも、発光部の内壁が、電極よりも早く水銀の沸点以下に低下させることができ、気化した水銀は主に発光部の内壁で液化し、内壁に付着させることができる。これにより、電源プラグ１０５ａを電源から引き抜かれて光源が消灯したときも、水銀ブリッジの発生を抑制することができる。
【００５５】
図１４は、プロジェクタ１の排気口側の側面を示す図である。
排気口１１３ａが設けられたプロジェクタの側面には、電源コード１０５の出力プラグ１０５ｂが差し込まれる電源コード差込部１２１が設けられている。この電源コード差込部１２１の図中上側には、第二引き抜きセンサ１１２が設けられている。本実施形態では、第二引き抜きセンサ１１２として、距離センサを用いている。
【００５６】
図１５は、第二引き抜きセンサ１１２による引き抜き動作の検知について説明する図である。
プロジェクタ１の電源コード差込部から出力プラグ１０５ｂを引き抜く場合、ユーザーは、まず、出力プラグ１０５ｂを掴むために指Ｆを出力プラグ１０５ｂに近づける。メイン制御部は、距離センサからなる第二引き抜きセンサ１１２と指Ｆとの距離が閾値（例えば、５０ｍｍｍ）以下となったら、ユーザーが出力プラグ１０５ｂを掴んで引き抜こうとしていると判断し、上述した水銀ブリッジ抑制処理を行う。これにより、光源点灯中に、ユーザーが出力プラグ１０５ｂを掴んで、電源コード差込部１２１から引き抜いて装置への電力供給が停止する前に、電極と発光部の内壁との温度差を広げることができる。これにより、出力プラグ１０５ｂが装置から引き抜かれて光源が消灯したときも、発光部の内壁が、電極よりも早く水銀の沸点以下に低下させることができ、気化した水銀は主に発光部の内壁で液化し、内壁に付着させることができる。これにより、出力プラグ１０５ｂを装置から引き抜かれて光源が消灯したときも、水銀ブリッジの発生を抑制することができる。
【００５７】
また、本実施形態では、ユーザーの一連の引き抜き動作（プラグを掴む動作と、プラグを引き抜く動作）のうち、最初の動作であるプラグを掴もうとする動作を検知して、上述した水銀ブリッジ抑制処理を行っている。これにより、例えば、プラグにプッシュスイッチを設けて、プラグを掴んだことを検知して水銀ブリッジ抑制処理を開始する場合に比べて、水銀ブリッジ抑制処理の時間を長くすることができる。これにより、掴んだことを検知して水銀ブリッジ抑制処理を開始する場合に比べて、電極と発光部の内壁との温度差を広げることができ、より水銀ブリッジを抑制することができる。
【００５８】
もちろん、引き抜きセンサをプッシュスイッチとし、電源コードのプラグに設けてもよい。この場合は、電源コードのプラグを掴む際にプラグに設けられたプッシュスイッチが押されることで、引き抜き動作を検知することができる。
【００５９】
図１６は、実施形態とは別のプロジェクタ１Ａを示す斜視図である。
このプロジェクタ１Ａは、筐体の側面から投写画像を投写するものであり、投写画像を投写する側面に、電源コードの出力プラグが差し込まれる電源コード差込部１２１が設けられている。かかる構成のプロジェクタにおいても、電源コード差込部１２１の図中上側に、第二引き抜きセンサ１１２を設け、電源コードの電源プラグに第一引き抜きセンサを設ける。そして、上述同様に第一引き抜きセンサまたは第二引き抜きセンサ１１２が引き抜き動作を検知したら、上述した水銀ブリッジ抑制処理を行う。
【００６０】
以上に説明したものは一例であり、以下の態様毎に特有の効果を奏する。
（態様１）
水銀などの発光物質が封入され、一対の電極が対向配置された発光部３１ａを有する光源３０と、装置本体に対して引き抜き可能に設けられ、電源の電力を装置本体内の電気部品に供給する電源コード１０５とを備え、前記光源３０からの光を用いて画像を投写する画像投写装置において、ユーザーなどの操作者の前記電源コードの前記電源からの引き抜き動作と当該装置本体からの引き抜き動作とを検知する引き抜き検知手段（本実施形態では、第一引き抜きセンサ１１１、第二引き抜きセンサ１１２およびメイン制御部１０１等で構成）を備え、前記引き抜き検知手段により引き抜き動作を検知したときは、前記電極と前記発光部３１ａの内壁との温度差が、前記引き抜き検知手段が引き抜き動作を検知する前よりも広がるように、前記電極の温度を変化させうる制御対象（本実施形態では、光源制御部１０３）および前記発光部の温度を変化させうる制御対象（本実施形態では、光源ファン７１）の少なくとも一方を制御するメイン制御部１０１などの制御部を備えた。
これによれば、電源や装置本体から電源コード１０５が、操作者により引き抜かれそうになったら、電極と発光部３１ａの内壁との温度差が広がる水銀ブリッジ抑制処理などの制御が行われる。これにより、電源コード１０５が電源や装置から引き抜かれて光源が消灯しても、その前の制御により電極の温度と発光部の内壁の温度との差を広げておくことができる。よって、電源コード１０５が電源や装置から引き抜かれて光源３０が消灯しても、発光部３１ａの内壁が発光物質の沸点温度以下となる前に電極が発光物質の沸点温度に低下してしまうのを抑制することができる。これにより、電源コード１０５が電源や装置から引き抜かれた場合でも、気化している発光物質を、主に発光部３１ａの内壁に付着させることができ、電極に付着するのを抑制することができ、発光物質による短絡が発生するのを抑制することができる。
【００６１】
（態様２）
態様１において、メイン制御部１０１などの制御部は、引き抜き検知手段（第一引き抜きセンサ１１１、第二引き抜きセンサ１１２およびメイン制御部１０１等で構成）により引き抜き動作を検知したとき、前記光源に供給する電力を増加させる。
これによれば、実施形態で説明したように、電極を温度上昇させることができ、発光部３１ａの内壁と、電極との温度差を広げることができる。
【００６２】
（態様３）
態様１または２において、メイン制御部１０１などの制御部は、前記引き抜き検知手段（第一引き抜きセンサ１１１、第二引き抜きセンサ１１２およびメイン制御部１０１等で構成））により引き抜き動作を検知したとき、前記光源を点灯させるために前記光源に出力する電気的な出力波形を変更する。
これによれば、実施形態で説明したように、出力波形を変更して、温度低下しやすいリフレクタ３４の開口側に配置された第二電極３３などの開口側の電極が、第一電極３２などのリフレクタ３４の閉じた側に配置された電極よりも加熱されるようにすることが可能となる。これにより、開口側電極と発光部の内壁との温度差を広げることができ、開口側に配置された電極に水銀などの発光物質が付着するのを抑制することができる。
【００６３】
（態様４）
態様３において、光源３０は、開口を有し、前記発光部３１ａから放射された光を前記開口に向けて反射するリフレクタ３４を備え、メイン制御部１０１などの制御部は、前記引き抜き検知手段（第一引き抜きセンサ１１１、第二引き抜きセンサ１１２およびメイン制御部１０１等で構成）により引き抜き動作を検知したとき、前記出力波形を、一対の電極のうち前記リフレクタの開口側に配置された第二電極３３などの開口側の電極が、他の電極よりも加熱されるような出力波形に変更する。
これによれば、実施形態で説明したように、第二電極３３などの開口側電極と発光部３１ａとの内壁との温度差を広げることができ、開口側に配置された電極に水銀などの発光物質が付着するのを抑制することができる。
【００６４】
（態様５）
態様４において、メイン制御部１０１などの制御部は、前記引き抜き検知手段（第一引き抜きセンサ１１１、第二引き抜きセンサ１１２およびメイン制御部１０１等で構成）により引き抜き動作を検知したとき、第二電極３３などの開口側の電極が陽極となっている時間が、他方の電極が陽極となっている時間よりも長くなるように、出力波形を変更する。
これによれば、先の図１０や図１１を用いて説明したように、一対の電極のうち前記リフレクタの開口側に配置された第二電極３３などの開口側の電極を、第一電極などの他の電極よりも加熱することができる。
【００６５】
（態様６）
態様１乃至５いずれかにおいて、前記発光部３１ａを冷却する光源ファン７１などの発光部冷却手段を備えた。
これによれば、発光部３１ａの温度を低下させることができ、電極と発光部３１ａとの温度差を広げることができる。
【００６６】
（態様７）
態様６において、メイン制御部１０１などの制御部は、前記引き抜き検知手段（第一引き抜きセンサ１１１、第二引き抜きセンサ１１２およびメイン制御部１０１等で構成）により引き抜き動作を検知したとき、光源ファン７１などの発光部冷却手段の冷却能力を高める。
これによれば、実施形態で説明したように、発光部３１ａの温度をより一層低下させることができ、電極と発光部３１ａとの温度差をより一層広げることができる。
【００６７】
（態様８）
態様１乃至７いずれかにおいて、前記引き抜き検知手段（第一引き抜きセンサ１１１、第二引き抜きセンサ１１２およびメイン制御部１０１等で構成）は、ユーザーなどの操作者の電源に差し込まれている電源コード１０５の電源プラグ１０５ａを掴もうとする動作、当該装置に差し込まれている電源コードの出力プラグ１０５ｂを掴もうとする動作を検知する。
これによれば、実施形態で説明したように、一連の引き抜き動作の最初の動作を検知して、水銀ブリッジ抑制処理などの電極と前記発光部の内壁との温度差が広がる制御を行うことで、電源コードが抜かれる前に、十分に発光部と電極との温度差を広げることができる。
【００６８】
（態様９）
態様１乃至８いずれかにおいて、前記発光物質は、水銀を含む。
これによれば、水銀ブリッジの発生を抑制することができる。
【符号の説明】
【００６９】
１：プロジェクタ
３０：光源
３１：放電管
３１ａ：発光部
３２：第一電極
３３：第二電極
３４：リフレクタ
３４ａ：開口部
３５：導電線
６２：光源ブラケット
６４：光源ホルダ
６４ｃ：排気口
７０：光源ハウジング
７０ｃ：ダクト
７１：光源ファン
１０１：メイン制御部
１０２：光変調素子制御部
１０３：光源制御部
１０４：電源部
１０５：電源コード
１０５ａ：電源プラグ
１０５ｂ：力プラグ
１１１：第一引き抜きセンサ
１１２：第二引き抜きセンサ
１２０：操作部
１２０ａ：電源ボタン
１２１：電源コード差込部
Ｓ：スクリーン
【先行技術文献】
【特許文献】
【００７０】
【特許文献１】特開２０１４−８１５４７号公報
【図１】
2017211591.tif 000003
【図２】
2017211591.tif 000004
【図３】
2017211591.tif 000005
【図４】
2017211591.tif 000006
【図５】
2017211591.tif 000007
【図６】
2017211591.tif 000008
【図７】
2017211591.tif 000009
【図８】
2017211591.tif 000010
【図９】
2017211591.tif 000011
【図１０】
2017211591.tif 000012
【図１１】
2017211591.tif 000013
【図１２】
2017211591.tif 000014
【図１３】
2017211591.tif 000015
【図１４】
2017211591.tif 000016
【図１５】
2017211591.tif 000017
【図１６】
2017211591.tif 000018